(57)【要約】【課題】直接気流を浴びることによる涼感に加え、上方に吹出した気流により天井近傍の温度の高い空気を除去し、上方からの輻射熱を低減することで快適性の向上を実現することを目的とする。【解決手段】空気清浄機能付送風装置１１は、吸込口１４を備えた筐体１２と、高圧空気を発生するための羽根車１６とモータ１７と、筐体１２の一面から起立する複数のノズル１３とを備え、ノズル１３の側部には、高圧空気を吹出す吹出口１９を、内部には、高圧空気を吹出口１９に導くためのダクト２０を備え、複数のノズル１３は、間隙を設けて備えられ、吹出口１９から吹出される高圧空気は、水平より上方と、水平及び水平方向より下方に吹出すことを特徴とするものであり、直接気流を浴びることによる涼感に加え、上方に吹出した気流により天井近傍の温度の高い空気を除去し、上方からの輻射熱を低減することで快適性の向上を実現できる。【選択図】図１
2018135765.tif 000002
【特許請求の範囲】
【請求項１】
空気を取り入れる吸込口を備えた筐体と、前記筐体内に高圧空気を発生するための羽根車と前記羽根車を駆動するモータと、前記筐体の一面から起立する複数のノズルとを備え、
前記ノズルの側部には、前記ノズルを起立させた方向に対して交差する方向に前記羽根車によって発生した高圧空気を吹出す吹出口を備え、前記ノズルの内部には、前記高圧空気を前記吹出口に導くためのダクトを備え、
前記ノズルの起立する方向に対して直交する方向の断面は前記高圧空気が吹き出される方向に長い形状をしており、
複数の前記ノズルは、間隙を設けて備えられ、
前記吹出口から吹出される高圧空気は、前記吹出口の上部から順番に、水平より上方と、水平及び水平方向より下方に吹出すことを特徴とする送風装置。
【請求項２】
前記ノズルの起立方向において上端側と下端側を仕切る分流板を備え、前記吹出口の上端側は、高圧空気を水平方向より上方に吹出すことを特徴とする請求項１に記載の送風装置。
【請求項３】
前記筐体に設けられた前記吸込口を吹出方向と異なる側に備えたことを特徴とする請求項１または２に記載の送風装置。
【請求項４】
送風装置の前記筐体に設けられた前記吸込口に空気浄化フィルタを備えたことを特徴とする請求項１から３のいずれか１項に記載の空気清浄機能付送風装置。
【請求項５】
車道に面した建築物に用いられ、前記ノズルの前記吹出口が車道側に配置されたことを特徴とする請求項１から４のいずれか１項に記載の送風装置。
【発明の詳細な説明】
【技術分野】
【０００１】
本発明は、居室内や屋外の屋根の下に設置され、直接気流による体感温度の減少や室内の空気の循環に使用される扇風機などの送風装置、および送風装置内に取り込む空気を浄化し、浄化された空気を気流として吹出すことで室内の空気を浄化、および直接気流による体感温度の減少や室内の空気の循環に使用される送風装置および空気清浄機能付送風装置に関するものである。
【背景技術】
【０００２】
従来、この種の送風装置は、羽根車とモータを台座となる基部に内包して、基部上部に備えられた円環形状の送風部から床面と水平方向に吹出すようにして空気の循環及び空気の流れを生じさせる家庭用送風装置が知られている（例えば、特許文献１参照）。
【０００３】
以下、その送風装置について図５および図６を参照しながら説明する。
【０００４】
図５には、送風機組立体１００の正面視図を、図６には、送風機組立体１００の要部断面図を示している。送風機組立体１００は、中央開口部１０２を画定する環状ノズル１０１を有している。送風機組立体１００の基部１１６内部には、環状ノズル１０１を通る空気流を生じさせる送風装置が配置されている。送風装置は、インペラ（羽根車）１３０が、モータハウジング１２６と共に配置されたモータ１２２から外方に延びる回転シャフトに連結され、ディフューザ１３２が、インペラ１３０の下流側に位置決めされている。モータ１２２は、図示しない電気接続部及び電源に接続され、図５に示す複数個の選択ボタン１２０により、ユーザは、送風機組立体１００を操作することができる。
【０００５】
上記構成で、送風機組立体１００は、以下のように動作する。
【０００６】
ユーザが図５に示す複数個の選択ボタン１２０の中から好みのボタンを選択してモータ１２２が起動されると、空気が空気入口１２４を介して送風機組立体１００内に吸い込まれる。空気は、外側ケーシング１１８を通り、インペラ１３０の入口１３４まで流れる。ディフューザ１３２の出口１３６及びインペラ１３０の排気部を出た空気流は、内部通路１１０を通って互いに逆の方向に進む２つの空気流に分けられる。
【０００７】
空気流は、口１１２に入る際に絞られ、口１１２の出口１４４で更に絞られる。この絞りにより、環状ノズル１０１内に圧力が生じる。
【０００８】
このように作られた空気流は、絞りにより生じる圧力に打ち勝ち、一次空気流として出口１４４を通って出る。一次空気流は、ガイド部分１４８の配置により、ユーザに向かって集中または集束して向けられる。二次空気流は、外部環境、特に出口１４４周りの領域及び環状ノズル１０１の外縁部周りからの空気の吸引によって生じる。この二次空気流は、中央開口部１０２を通り、ここで、一次空気流と混ざり合って送風機組立体１００から前方に放出される全空気流が生じる。
【先行技術文献】
【特許文献】
【０００９】
【特許文献１】特開２０１０−０７７９６９号公報
【発明の概要】
【発明が解決しようとする課題】
【００１０】
このような従来の送風装置では、気流は一方向のみに送られるため、直接気流を浴びることによる涼感は得られるものの、天井近傍の温度の高い空気による輻射熱の影響を防ぐことができないという課題があった。
【００１１】
そこで本発明は、上記従来の課題を解決するものであり、気流を水平より上方と、水平及び水平方向より下方に吹出すことで、直接気流を浴びることによる涼感に加え、上方に吹出した気流により天井近傍の温度の高い空気を除去し、上方からの輻射熱を低減することで快適性の向上を実現できる送風装置、および送風機能付空気清浄装置を提供することを目的とする。
【課題を解決するための手段】
【００１２】
そして、この目的を達成するために、本発明は、空気を取り入れる吸込口を備えた筐体と、前記筐体内に高圧空気を発生するための羽根車と前記羽根車を駆動するモータと、前記筐体の一面から起立する複数のノズルとを備え、前記ノズルの側部には、前記ノズルを起立させた方向に対して交差する方向に前記羽根車によって発生した高圧空気を吹出す吹出口を備え、前記ノズルの内部には、前記高圧空気を前記吹出口に導くためのダクトを備え、前記ノズルの起立する方向に対して直交する方向の断面は前記高圧空気が吹き出される方向に長い形状をしており、複数の前記ノズルは、間隙を設けて備えられ、前記吹出口から吹出される高圧空気は、前記吹出口の上部から順番に、水平より上方と、水平及び水平方向より下方に吹出すことを特徴とする送風装置としたものであり、これにより所期の目的を達成するものである。
【発明の効果】
【００１３】
本発明によれば、空気を取り入れる吸込口を備えた筐体と、前記筐体内に高圧空気を発生するための羽根車と前記羽根車を駆動するモータと、前記筐体の一面から起立する複数のノズルとを備え、前記ノズルの側部には、前記ノズルを起立させた方向に対して交差する方向に前記羽根車によって発生した高圧空気を吹出す吹出口を備え、前記ノズルの内部には、前記高圧空気を前記吹出口に導くためのダクトを備え、前記ノズルの起立する方向に対して直交する方向の断面は前記高圧空気が吹き出される方向に長い形状をしており、複数の前記ノズルは、間隙を設けて備えられ、前記吹出口から吹出される高圧空気は、前記吹出口の上部から順番に、水平より上方と、水平及び水平方向より下方に吹出すことを特徴とする送風装置としたことにより、直接気流を浴びることによる涼感に加え、上方に吹出した気流により天井近傍の温度の高い空気を除去し、上方からの輻射熱を低減することで快適性の向上を実現できる。
【図面の簡単な説明】
【００１４】
【図１】本発明の実施の形態１の送風機能付空気清浄装置の斜視図
【図２】同実施の形態１の送風装置の断面を示す構成図
【図３】同実施の形態１の送風装置の断面を示す構成図
【図４】本発明の実施の形態２の送風装置を備えた建築物を示す構成図
【図５】従来技術の一例を示す正面図
【図６】従来技術の一例を示す断面図
【発明を実施するための形態】
【００１５】
本発明の請求項１に係わる送風装置は、空気を取り入れる吸込口を備えた筐体と、前記筐体内に高圧空気を発生するための羽根車と前記羽根車を駆動するモータと、前記筐体の一面から起立する複数のノズルとを備え、前記ノズルの側部には、前記ノズルを起立させた方向に対して交差する方向に前記羽根車によって発生した高圧空気を吹出す吹出口を備え、前記ノズルの内部には、前記高圧空気を前記吹出口に導くためのダクトを備え、前記ノズルの起立する方向に対して直交する方向の断面は前記高圧空気が吹き出される方向に長い形状をしており、複数の前記ノズルは、間隙を設けて備えられ、前記吹出口から吹出される高圧空気は、前記吹出口の上部から順番に、水平より上方と、水平及び水平方向より下方に吹出すことを特徴とするものである。
【００１６】
これにより、羽根車を内包することで接触による不安感をなくしつつ、直接気流を浴びることによる涼感に加え、上方に吹出した気流により天井近傍の温度の高い空気を除去し、上方からの輻射熱を低減することで快適性の向上を実現できる。
【００１７】
また、吹出口からの高圧空気の吹出しにより誘引される空気が小さくならないよう間隙を設けて複数のノズルが備えられているため、複数の吹出口から吹出された高圧空気により効率よく空気を誘引することができ、ノズルから吹出す風量よりも風量を増幅することができ、効率よく気流を発生することができる。
【００１８】
ここで、複数のノズルとは３本以上のことを示し、高圧空気とは大気圧以上の空気を示すものとする。なお、間隙の長さとしては、ノズルの垂直方向の断面における吹出方向と垂直方向の長さ以上、ノズルの起立方向長さの半分以下が効率的な空気の誘引のために望ましい。
【００１９】
また、請求項２に係わる送風装置は、前記ノズルの起立方向において上端側と下端側を仕切る分流板を備え、前記吹出口の上端側は、高圧空気を水平方向より上方に吹出すことを特徴とするもので、上方に吹出した気流により天井近傍の温度の高い空気を除去し、上方からの輻射熱を低減することで快適性の向上を実現できる。
【００２０】
また、請求項３に係わる送風装置は、前記筐体に設けられた前記吸込口を吹出方向と異なる側に備えたことを特徴とするもので、前記吹出口から吹出された高圧空気が前記吸込口に吸い込まれるのを抑制することができ、効率よく送風装置を稼動することができる。
【００２１】
また、送風装置の前記筐体に設けられた前記吸込口に空気浄化フィルタを備えたことを特徴とする請求項１から３のいずれか１項に記載の空気清浄機能付送風装置とするもので、吸込口から取り込まれた空気は空気浄化フィルタにより浄化され吹出口から吹出されるため、使用者に浄化された空気を提供することができる。
【００２２】
また、車道に面した建築物に用いられ、前記ノズルの前記吹出口が車道側に配置されたことを特徴とするもので、直接気流を浴びることによる涼感に加え、上方に吹出した気流により前記建築物の天井近傍の温度の高い空気を除去し、上方からの輻射熱を低減することで快適性の向上を実現できる。また、車道側に気流が流れるため、車道からの排気ガスなどの汚れた空気を前記建築物に侵入するのを抑制することができ、前記建築物の内部を清浄に保つことができる。
【００２３】
以下、本発明の実施の形態について図面を参照しながら説明する。ただし、以下に示す実施の形態は、本発明の技術思想を具体化するための送風装置を例示するものであって、本発明は送風装置を以下のものに特定しない。また、特許請求の範囲に示される部材を、実施例に記載する部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。また、本発明を構成する各要素は、複数の要素を同一の部材で構成して一の部材で複数の要素を兼用する態様としてもよいし、逆に一の部材の機能を複数の部材で分担して実現することもできる。なお、一部の実施例、実施形態において説明された内容は、他の実施例、実施形態等に利用可能なものもある。
【００２４】
（実施の形態１）
図１に斜視図を、図２に断面Ａ、図３に断面Ｂでの断面を示す構成図を示す。
【００２５】
送風装置として、本実施の形態の空気清浄機能付送風装置１１は、図１に示すように筐体１２の上部にノズル１３を備えたものである。
【００２６】
空気清浄機能付送風装置１１は、図２に示すように、筐体１２に空気を取り入れる吸込口１４と、吸込口１４に装着し取り入れた空気を浄化する空気浄化フィルタ１５と、図３に示すように、高圧空気を発生するための羽根車１６と羽根車１６を駆動するためのモータ１７で構成された高圧空気発生部１８と、筐体１２の一面から起立させた複数の等しい長さのノズル１３（本実施形態では６個）とを備えている。本実施の形態では、筐体１２の上面から起立させている。
【００２７】
ノズル１３の側部には、図２に示すように、ノズル１３を起立させた方向に対して垂直方向である一方向に高圧空気発生部１８で発生した高圧空気を吹出す吹出口１９を備えている。ここで、吸込口１４と吹出口１９は異なる側に備えられるものである。ノズル１３の内部には、高圧空気を吹出口１９に導くためのダクト２０を備えている。ダクト２０は、少なくともノズル１３と同数備えている。
【００２８】
また、図３に示すように、高圧空気発生部１８と複数のダクト２０の間には高圧空気を各ノズルに分流するチャンバー空間２１が備えられている。
【００２９】
ノズル１３は、図１に示すように、前記垂直方向の断面が吹出方向に縦長である。複数のノズル１３は、それぞれの吹出口１９が同一面となるように間隙を設けて備えられ、この間隙によって、吹出口１９から吹出す気流に誘引される空気の誘引風路２２が形成されている。つまり、本実施の形態の例ではノズル１３を６本設けているので、ノズル１３に挟まれた空隙にそれぞれ誘引風路２２がノズル１３の数より少ない５本形成できる。ここで、複数のノズル１３とは３本以上のことを示す。また、高圧空気とは大気圧以上の空気を示すものとする。
【００３０】
また、前記間隙幅は、ノズル１３の幅（ノズル１３の垂直方向の断面における吹出方向に対して垂直方向の長さ）を下限、ノズル１３の筐体１２上面からの起立方向の高さの半分の値を上限とする範囲が風速の均一性を得られるため好ましい。本実施の形態では、一例としてノズル１３の幅が３０ｍｍ、ノズル１３の起立方向長さが６００ｍｍ、間隙の長さが１００ｍｍ、ノズル１３の吹出方向長さが２００ｍｍの場合を示している。また本実施の形態では、ノズル１３の垂直方向の断面形状は、長方形形状としたが、吹出し方向に縦長であればよく、楕円など別の形状でもよい。すなわち、ノズル１３の起立する方向に対して直交する方向の断面は高圧空気が吹き出される方向に長い形状をしていればよい。
【００３１】
また、空気浄化フィルタ１５には、既知の集塵フィルタや活性炭などの脱臭フィルタを用いることができる。この空気浄化フィルタ１５を通過した空気は、ほこりや花粉、アレルギー物質などが取り除かれた浄化空気となり羽根車１６に供給される。
【００３２】
図２に示すように、ノズル１３内の吹出口１９近傍には、ノズル１３の起立方向の風向を調整する風向調整リブ２４と起立方向においてノズル１３の上端側と下端側を仕切る分流板２７が備えられている。風向調整リブ２４は、吹出口１９の上部から順番に、水平より上方と、水平及び水平方向より下方に吹出すように向きが調整されている。
【００３３】
分流板２７は、ノズル１３の上端側と下端側から吹出す高圧空気の量を所望の割合に分流するよう起立方向の位置と長さが調整されている。
【００３４】
このような構成によれば、空気清浄機能付送風装置１１が稼動すると、モータ１７が駆動し、羽根車１６が回転することにより、内部流れ２３に示すように、室内空気は、吸込口１４から空気清浄機能付送風装置１１内部に取り込まれ、空気浄化フィルタ１５で埃やにおいなどの汚れを浄化された後、羽根車１６を通過しチャンバー空間２１に至る。チャンバー空間２１で高圧空気は複数のダクト２０に分流され、各ダクト２０を通過し、吹出口１９近傍に設けられた風向調整リブ２４でノズル１３起立方向の風向を調整されるとともに、分流板２７で分流され、起立方向の上端側の吹出口１９からは水平より上方に、その他の吹出口１９からは水平及び水平方向より下方に吹出す吹出空気流２５となる。このとき、分流板２７がなくとも風向調整リブ２４だけで吹出空気流２５を水平より上方と、水平及び水平方向より下方に分流できるが、分流板２７を備えることで効率よく吹出空気流２５を分流することができる。
【００３５】
つまり、図１のように吹出空気流２５により、誘引風路２２と最外部のノズル１３の外側の空気が誘引され、誘引空気流２６となるため、ノズル１３から吹出す風量よりも風量を増幅することができ、効率よく気流を発生することができる。このとき、羽根車１６は筐体１２内に内包されているため、使用者が外部から接触できない構造となっているため、接触による不安感をなくすこともできる。
【００３６】
また、風向調整リブ２４と分流板２７により、吹出空気流２５は水平より上方と、水平及び水平方向より下方に分流されるため、水平及び水平方向より下方の直接気流を浴びることによる涼感に加え、上方に吹出した気流により天井近傍の温度の高い空気を除去し、上方からの輻射熱を低減することで快適性の向上を実現できる。
【００３７】
また、吸込口１４と吹出口１９は異なる側に備えられるため、吹出口１９から吹出された高圧空気が吸込口１４に吸い込まれるのを抑制することができ、効率よく空気清浄機能付送風装置１１を稼動することができる。
【００３８】
なお、本実施の形態では、空気浄化フィルタ１５を備えた空気清浄機能付送風装置１１の形態を説明した。空気浄化フィルタ１５は、送風装置としては必須ではない。
（実施の形態２）
本実施の形態では、送風装置３１を、屋根を有する建築物（本実施の形態では車道に面したバス停）に備えた場合の形態を説明する。
【００３９】
図４に送風装置３１を備えたバス停３２の斜視図を示す。バス停３２は車道３３に面しており、屋根３４を備え、屋根３４の下方に複数のノズル１３を備え、筐体１２はバス停３２利用者が座るためのベンチを兼ねてノズル１３の下方に備えた構成となっている。
【００４０】
このような構成によれば、送風装置３１を稼動することにより、ノズル１３から車道の方向に、水平より上方の屋根３４の方と、水平及び水平方向より下方に分流されて気流が発生する。これにより、水平及び水平方向より下方の直接気流を浴びることによる涼感に加え、上方に吹出した気流により屋根３４近傍の温度の高い空気を除去し、上方からの輻射熱を低減することで快適性の向上を実現できる。
【００４１】
また、車道３３側に気流が流れるため、車道３３からの排気ガスなどの汚れた空気がバス停３２内に侵入するのを抑制することができ、バス停３２の内部を清浄に保つことができる。
【産業上の利用可能性】
【００４２】
本発明にかかる送風装置および空気清浄機能付送風装置は、直接気流を浴びることによる涼感に加え、上方に吹出した気流により天井近傍の温度の高い空気を除去し、上方からの輻射熱を低減することで快適性の向上を実現できるため、居室内に設置され、直接気流による体感温度の減少や室内の空気の循環に使用される各種送風機器等として有用である。
【符号の説明】
【００４３】
１１    空気清浄機能付送風装置
１２    筐体
１３    ノズル
１４    吸込口
１５    空気浄化フィルタ
１６    羽根車
１７    モータ
１８    高圧空気発生部
１９    吹出口
２０    ダクト
２１    チャンバー空間
２２    誘引風路
２３    内部流れ
２４    風向調整リブ
２５    吹出空気流
２６    誘引空気流
２７    分流板
３１    送風装置
３２    バス停
３３    車道
３４    屋根
１００    送風機組立体
１０１    環状ノズル
１０２    中央開口部
１１０    内部通路
１１２    口
１１６    基部
１１８    外側ケーシング
１２０    選択ボタン
１２２    モータ
１２４    空気入口
１２６    モータハウジング
１３０    インペラ
１３２    ディフューザ
１３４    入口
１３６    出口
１４４    出口
１４８    ガイド部分
【図１】
2018135765.tif 000003
【図２】
2018135765.tif 000004
【図３】
2018135765.tif 000005
【図４】
2018135765.tif 000006
【図５】
2018135765.tif 000007
【図６】
2018135765.tif 000008